(57)【要約】【課題】本発明は、絶縁電線の長さ方向での径の変動を抑制できる絶縁電線の製造装置を提供することを目的とする。【解決手段】本発明に係る絶縁電線の製造装置は、平行に配設され、１又は複数周回架け渡される導線を走行させる一対のドラムと、走行している導線の表面に絶縁塗料を塗布する塗布部と、上記絶縁塗料が塗布された導線への加熱により、導体表面に絶縁層を形成する加熱部とを備える絶縁電線の製造装置であって、上記一対のドラムの少なくとも一方を回転駆動する駆動部を備えている。また、本発明に係る絶縁電線の製造装置は、上記一対のドラム直前、直後又は周回中の導線の張力、又はこの張力と一対一関係にある物理量を測定する測定部と、この測定部の測定結果により上記駆動部の駆動力を制御する制御部とをさらに備えることが好ましい。【選択図】図１
2015043305.tif 000002
【特許請求の範囲】
【請求項１】
平行に配設され、１又は複数周回架け渡される導線を走行させる一対のドラムと、
走行している導線の表面に絶縁塗料を塗布する塗布部と、
上記絶縁塗料が塗布された導線への加熱により、導体表面に絶縁層を形成する加熱部と
を備える絶縁電線の製造装置であって、
上記一対のドラムの少なくとも一方を回転駆動する駆動部を備えている絶縁電線の製造装置。
【請求項２】
上記一対のドラム直前、直後又は周回中の導線の張力、又はこの張力と一対一関係にある物理量を測定する測定部と、
この測定部の測定結果により上記駆動部の駆動力を制御する制御部と
をさらに備える請求項１に記載の絶縁電線の製造装置。
【請求項３】
上記測定部が、上記一対のドラム直後の導線の張力、又はこの張力と一対一関係にある物理量を測定する請求項２に記載の絶縁電線の製造装置。
【請求項４】
上記測定部が、
上記導線の走行方向に所定間隔を開けて配設され、導線の周面の一方側を支持する一対のプーリと、
この一対のプーリ間に配設され、導線の他方側を支持し、その他方側に付勢される遊動プーリと、
上記一対のプーリに対する上記遊動プーリの位置を測定するセンサと
を備える請求項２又は請求項３に記載の絶縁電線の製造装置。
【請求項５】
上記センサが、上記遊動プーリを導線の走行方向手前側又は奥側で回転自在に支持し、その支持角度により上記遊動プーリの位置を検出する請求項４に記載の絶縁電線の製造装置。
【請求項６】
平行に配設される一対のドラムに導線を１又は複数周回架け渡し、導線を走行させる工程と、
走行している導線の表面に絶縁塗料を塗布する工程と、
上記絶縁塗料が塗布された導線への加熱により、導体表面に絶縁層を形成する工程と
を備える絶縁電線の製造方法であって、
上記一対のドラムの少なくとも一方を回転駆動する絶縁電線の製造方法。
【発明の詳細な説明】
【技術分野】
【０００１】
本発明は、絶縁電線の製造装置及び製造方法に関する。
【背景技術】
【０００２】
従来、各種電気機器の配線として、導線の外周に絶縁層を有する絶縁電線が用いられている。このような絶縁電線として、例えばモーターや変圧器等の巻線に用いられるエナメル線が知られている。
【０００３】
このエナメル線は、一般に、溶剤が含有される絶縁ワニス（絶縁塗料）を導線に塗布する工程と焼き付ける工程とを複数回繰り返して行い、導線上に絶縁皮膜を形成することにより製造される。より具体的には、上下に設けたドラム間に導線を架け渡し、下側のドラムから上側のドラムに走行させる間に導線の表面に絶縁塗料を塗布し、次いで、焼付炉によって導線に塗布された絶縁塗料を焼き付け、乾燥させることを繰り返す（特開２００８−１２３７５９号公報参照）。
【先行技術文献】
【特許文献】
【０００４】
【特許文献１】特開２００８−１２３７５９号公報
【発明の概要】
【発明が解決しようとする課題】
【０００５】
従来の絶縁電線の製造装置においては、ドラムの導線走行方向奥側に設けた巻取部が導線を引っ張ることによって導線が走行する。上下のドラムは、自ら駆動せず、この導線の走行に応じて回転する。しかしながら、このような製造装置においては、ドラム間に架け渡された導線の張力が経時的に変動し、塗布ダイスから導線を引き抜く力が導線の長さ方向で変化するので、絶縁電線の径や絶縁皮膜の厚さが長さ方向で変動するという不都合がある。
【０００６】
本発明は、上述のような事情に基づいてなされたものであり、得られる絶縁電線の長さ方向での径の変動を抑制できる絶縁電線の製造装置及び製造方法を提供することを目的とする。
【課題を解決するための手段】
【０００７】
上記課題を解決するためになされた発明は、平行に配設され、１又は複数周回架け渡される導線を走行させる一対のドラムと、走行している導線の表面に絶縁塗料を塗布する塗布部と、上記絶縁塗料が塗布された導線への加熱により、導体表面に絶縁層を形成する加熱部とを備える絶縁電線の製造装置であって、上記一対のドラムの少なくとも一方を回転駆動する駆動部を備えている絶縁電線の製造装置である。
【０００８】
また、上記課題を解決するためになされた別の発明は、平行に配設される一対のドラムに導線を１又は複数周回架け渡し、導線を走行させる工程と、走行している導線の表面に絶縁塗料を塗布する工程と、上記絶縁塗料が塗布された導線への加熱により、導体表面に絶縁層を形成する工程とを備える絶縁電線の製造方法であって、上記一対のドラムの少なくとも一方を回転駆動する絶縁電線の製造方法である。
【０００９】
なお、「ドラム直前」とは、ドラムでの導線の入側の近傍をいい、「ドラム直後」とは、ドラムでの導線の出側の近傍をいう。また、「導線の走行方向手前側」とは導線が走行してくる側（送り出し側）をいい、「導線の走行方向奥側」とは導線が走行していく側（巻き取り側）をいう。
【発明の効果】
【００１０】
本発明の絶縁電線の製造装置及び製造方法は、得られる絶縁電線の長さ方向での径の変動を抑制できる。
【図面の簡単な説明】
【００１１】
【図１】図１は、本発明の一実施形態の絶縁電線の製造装置の模式的構成図である。
【図２】図２は、本発明の一実施形態の測定部の模式的構成図である。
【発明を実施するための形態】
【００１２】
［本発明の実施形態の説明］
本発明は、平行に配設され、１又は複数周回架け渡される導線を走行させる一対のドラムと、走行している導線の表面に絶縁塗料を塗布する塗布部と、上記絶縁塗料が塗布された導線への加熱により、導体表面に絶縁層を形成する加熱部とを備える絶縁電線の製造装置であって、上記一対のドラムの少なくとも一方を回転駆動する駆動部を備えている絶縁電線の製造装置である。
【００１３】
当該絶縁電線の製造装置は、上記一対のドラムの少なくとも一方を回転駆動する駆動部を備えている。従来の絶縁電線の製造装置では、導線が架け渡される一対のドラムが自ら駆動せず、導線の走行に応じて回転するだけだったので、架け渡された導線に弛みが生じたり、過度な張力が掛っても、導線の弛みや過度な張力を十分に緩和することができなかった。しかしながら、当該絶縁電線の製造装置では、架け渡された導線の弛みや過度な張力を検知したとき、上記一対のドラムの少なくとも一方を回転駆動させることにより導線の弛みや過度な張力を緩和することができる。このことにより、塗布ダイスから導線を引き抜く力が導線の長さ方向で変動し難くなり、絶縁電線の長さ方向での径の変動を抑制できる。
【００１４】
当該絶縁電線の製造装置は、上記一対のドラム直前、直後又は周回中の導線の張力、又はこの張力と一対一関係にある物理量を測定する測定部と、この測定部の測定結果により上記駆動部の駆動力を制御する制御部とをさらに備えることが好ましい。このことにより、上記一対のドラム直前、直後又は周回中の導線の張力を容易に制御できるので、塗布ダイスから導線を引き抜く力が導線の長さ方向で更に変動し難くなり、絶縁電線の長さ方向での径の変動を更に抑制できる。
【００１５】
上記測定部が、上記一対のドラム直後の導線の張力、又はこの張力と一対一関係にある物理量を測定することが好ましい。一対のドラムにおける導線の走行方向奥側は一対のドラム間よりも空間を確保し易いので、周回中の導線の張力よりも一対のドラム直後の導線の張力の方が容易に測定できる。また、一対のドラム直後の導線の張力の方が一対のドラム直前の張力よりも塗布ダイスから導線を引き抜く力に与える影響力が大きいと考えられる。従って、一対のドラム直後の導線の張力、又はこの張力と一対一関係にある物理量を測定することで、絶縁電線の長さ方向での径の変動を更に抑制できる。
【００１６】
上記測定部が、上記導線の走行方向に所定間隔を開けて配設され、導線の周面の一方側を支持する一対のプーリと、この一対のプーリ間に配設され、導線の他方側を支持し、その他方側に付勢される遊動プーリと、上記一対のプーリに対する上記遊動プーリの位置を測定するセンサとを備えることが好ましい。測定部をこのような構成にすることにより、導線の張力と一対一関係にある物理量である上記遊動プーリの位置を容易に、かつ確実に測定することができる。
【００１７】
上記センサが、上記遊動プーリを導線の走行方向手前側又は奥側で回転自在に支持し、その支持角度により上記遊動プーリの位置を検出することが好ましい。センサをこのような構成にすることにより、導線の張力と一対一関係にある物理量である上記遊動プーリの位置を更に容易に、かつ確実に測定することができる。
【００１８】
また、別の本発明は、平行に配設される一対のドラムに導線を１又は複数周回架け渡し、導線を走行させる工程と、走行している導線の表面に絶縁塗料を塗布する工程と、上記絶縁塗料が塗布された導線への加熱により、導体表面に絶縁層を形成する工程とを備える絶縁電線の製造方法であって、上記一対のドラムの少なくとも一方を回転駆動する絶縁電線の製造方法を含む。
【００１９】
当該製造方法では、架け渡された導線の弛みや過度な張力を検知したとき、上記一対のドラムの少なくとも一方を回転駆動させることにより導線の弛みや過度な張力を緩和することができる。このことにより、塗布ダイスから導線を引き抜く力が導線の長さ方向で変動し難くなり、絶縁電線の長さ方向での径の変動を抑制できる。
【００２０】
［本発明の実施形態の詳細］
以下、本発明に係る絶縁電線の製造装置の実施形態について、図面を参照しつつ詳説する。
【００２１】
図１の当該絶縁電線の製造装置は、平行に配設され、１又は複数周回架け渡される導線Ｗを走行させる一対の第一ドラム１ａ及び第二ドラム１ｂと、導線Ｗの表面に絶縁塗料を塗布する塗布部２と、絶縁塗料が塗布された導線Ｗへの加熱により導体表面に絶縁層を形成する加熱部３と、一対のドラムの一方である第一ドラム１ａを回転駆動する駆動部４とを備えている。また、当該絶縁電線の製造装置は、第二ドラム１ｂ直後の導線Ｗの張力と対応関係にある物理量を測定する測定部５と、測定部５の測定結果により駆動部４の駆動力を制御する制御部６とを備えている。また、当該絶縁電線の製造装置は、巻かれた導線Ｗを第一ドラム１ａに送り出す送出部７と、絶縁層を形成された電線Ｗ、つまり絶縁電線を巻き取る巻取部８とを備えている。
【００２２】
＜導線＞
導線Ｗとしては、特に材質及び構成が限定されるわけではないが、例えば銅線、錫めっき銅線、アルミ線、アルミ合金線、鋼心アルミ線、カッパーフライ線、ニッケルめっき銅線、銀めっき銅線、銅覆アルミ線等を用いることができる。また、導線Ｗの断面形状としては、特に制限されず、略円形状（丸線）、略楕円形状、及び略四角形状（平角線）等の略多角形状等とすることができる。
【００２３】
＜送出部＞
送出部７は、リールに巻かれた導線Ｗを第一ドラム１ａに送り出す。送出部７のリールは、駆動式としてもよく、非駆動式としてもよい。送出部７のリールを駆動式とする場合は、第一ドラム１ａとの間の導線Ｗに過度な弛みや張力が発生しないように、送出部７の駆動を制御することが好ましい。送出部７の駆動には、サーボモーター及びステッピングモーター等の公知のモーターを用いることができる。
【００２４】
＜一対のドラム＞
第一ドラム１ａと第二ドラム１ｂとは、塗布部２と加熱部３とを挟んで上下方向に対向して配置されており、下側に第一ドラム１ａが配置され、上側に第二ドラム１ｂが配置されている。この第一ドラム１ａと第二ドラム１ｂとは、導線Ｗを周回させる。この第一ドラム１ａ及び第二ドラム１ｂは、図１の紙面に垂直な方向に延伸しており、導線Ｗを掛ける位置をドラムの軸方向で紙面奥側に１周毎に一定間隔ずらすことで導線Ｗを周回させることができるようになっている。一定回数ドラム間を周回させて表面にエナメル被覆が形成された導線Ｗ、即ち、絶縁電線は、最終的には測定部５の導線走行方向奥側に設けられた巻取部８に巻き取られる。ドラムの材質としては、金属や樹脂等を用いることができる。第一ドラム１ａは、駆動ドラムであり、後述する駆動部４によって回転駆動する。第二ドラム１ｂは、回転自在に支持されており、導線Ｗの走行に伴って回転する。
【００２５】
＜駆動部＞
駆動部４は、第一ドラム１ａに隣接して設けられ、モーターによって第一ドラム１ａを回転駆動する。このモーターとしては、例えばサーボモーター及びステッピングモーター等の公知のモーターを用いることができる。
【００２６】
＜塗布部＞
塗布部２は、第一ドラム１ａの導線走行方向奥側に設けられ、絶縁ワニスを貯留する絶縁ワニス槽２１と、絶縁ワニス槽２１の導線走行方向奥側に設けられ、絶縁ワニス槽２１を通過した導線Ｗが挿通される塗布ダイス２２とを備え、第一ドラム１ａ及び第二ドラム１ｂを周回する導線Ｗの外周面に絶縁ワニスを塗布する。絶縁ワニス槽２１の底部には、導線Ｗを貫通させる貫通穴が図１の紙面奥側に一定間隔毎に複数配列されており、貫通穴を貫通した導線Ｗの外周面には絶縁ワニス槽２１の絶縁ワニスが塗布される。そして、導線Ｗの外周面に塗布された絶縁ワニスは、導線Ｗが塗布ダイス２２に挿通されることでダイス孔の径に応じてほぼ均一な厚さに整えられる。この塗布ダイス２２は、上記貫通穴に対応して図１の紙面奥側に一定間隔毎に複数配列され、紙面奥側に行くほどダイス孔の径が大きくなっている。このように、塗布部２によって導線Ｗの外周面に形成されるエナメル被覆を徐々に厚くし、一定の厚さのエナメル被覆を形成できる。
【００２７】
絶縁ワニスとしては、エナメル被覆の構成樹脂を溶剤で溶解したものが用いられる。この構成樹脂としては、絶縁性が高く、耐熱性が高い樹脂であれば特に限定されない。具体的には、例えばポリイミド樹脂、ポリアミドイミド樹脂、ポリエステルイミド樹脂等を用いることができる。また、溶剤としては、例えばピロリドンやクレゾール等を用いることができる。
【００２８】
＜加熱部＞
加熱部３は、絶縁ワニスが塗布された導線Ｗを加熱し、絶縁ワニスに含まれる樹脂を硬化させ、導線表面に絶縁層のエナメル被覆を形成する。加熱部３での導線Ｗの加熱には、種々の加熱手段を使用でき、例えばヒータ、誘導加熱、マイクロ波加熱、熱風、蒸気、過熱水蒸気等を用いることができる。この加熱部３の加熱温度は、絶縁ワニスに含まれる樹脂の硬化温度以上とすればよい。
【００２９】
＜測定部＞
測定部５は、図２に示すように導線Ｗの走行方向に所定間隔を開けて配設され、導線Ｗの周面の一方側（図２の導線Ｗの下方側）を支持する一対のプーリ５１、５２と、この一対のプーリ５１、５２間に配設され、導線Ｗの他方側（図２の導線Ｗの上方側）を支持し、その他方側に付勢される遊動プーリ５３と、一対のプーリ５１、５２に対する遊動プーリ５３の位置を測定するセンサ５４とを備える。一対のプーリ５１、５２及び遊動プーリ５３は、回転自在に支持され、接する導線Ｗの走行に応じて回転する。
【００３０】
センサ５４は、遊動プーリ５３を導線Ｗの走行方向手前側で回転自在に支持し、その支持角度により遊動プーリ５３の位置を検出する。具体的には、センサ５４は、一方の端が支点Ｏを中心に図２の紙面と平行な面内で回転可能に軸支された支持棒５５を有しており、支持棒５５の他方の端には、遊動プーリ５３が、プーリの軸が支持棒５５と垂直になるように取り付けられている。支持棒５５に取り付けられたバネ等（図示せず）の弾性部材によって、遊動プーリ５３は導線Ｗの上方側に付勢される。センサ５４は、支持角度θ（具体的には支持棒５５と例えば水平線とが成す角度θ）を検出することで、遊動プーリ５３の位置を測定する。この遊動プーリ５３の位置は、プーリにかかる付勢力によって変化し、ドラム１直後の導線Ｗの張力と一対一関係にある。
【００３１】
なお、センサ５４は、導線Ｗの走行方向手前側でなく、導線Ｗの走行方向奥側で遊動プーリ５３を回転自在に支持してもよい。
【００３２】
＜制御部＞
制御部６は、支持角度θが一定の設定値になるように、第一ドラム１ａを駆動させる駆動部４の駆動力を操作量としてフィードバック制御する。上記設定値は、製造する絶縁電線の種類や寸法等に応じて事前に定めておいてもよいし、当該絶縁電線の製造装置の運転中に検出された支持角度θの変動に基づいて定めてもよい。
【００３３】
＜巻取部＞
巻取部８は、導線Ｗを引っ張ってリールに巻き取る。この巻取部８の引張力によって、導線Ｗが塗布部２及び加熱部３間を周回する。巻取部８の駆動には、サーボモーター及びステッピングモーター等の公知のモーターを用いることができる。
【００３４】
［絶縁電線の製造方法］
次に当該絶縁電線の製造方法について説明する。当該絶縁電線の製造方法は、図１の当該絶縁電線の製造装置を用い、平行に配設される一対のドラム１に導線Ｗを１又は複数周回架け渡し、導線Ｗを走行させる工程と、走行している導線Ｗの表面に絶縁塗料を塗布する工程と、絶縁塗料が塗布された導線Ｗへの加熱により、導体表面に絶縁層を形成する工程とを備える。
【００３５】
＜走行工程＞
走行工程では、導線Ｗを送出部７から送り出し、第一ドラム１ａを経由させ、絶縁ワニス槽２１の底部の貫通穴及び塗布ダイス２２に挿通させて第二ドラム１ｂに架け渡す。導線Ｗを一対のドラム１に複数周回架け渡す場合には、第二ドラム１ｂに架け渡した後に、更に第一ドラム１ａを経由して絶縁ワニス槽２１の底部の貫通穴及び塗布ダイス２２に挿通させて第二ドラム１ｂに架け渡すことを繰り返す。このとき、導線Ｗを架ける位置をドラムの軸方向で図１の紙面奥側に１周毎に一定間隔ずらす。導線Ｗを一対の第一ドラム１ａ及び第二ドラム１ｂに架け渡した後、測定部５を経由させて導線Ｗを巻取部８に巻き取り、巻取部８によって導線Ｗを走行させる。そして、走行中に、測定部５の遊動プーリ５３の支持角度θが設定値になるように、第一ドラム１ａの駆動力を制御部６でフィードバック制御する。
【００３６】
＜塗布工程＞
塗布工程では、絶縁ワニス槽２１と塗布ダイス２２とに導線Ｗを走行させる。導線Ｗは、絶縁ワニス槽２１の底部の貫通穴から挿入され、絶縁ワニス槽２１に貯留された絶縁ワニス中を通過することによって外周面に絶縁ワニスが塗布される。そして、導線Ｗの外周面に塗布された絶縁ワニスは、導線Ｗが塗布ダイス２２に挿通されることでダイス孔の径に応じてほぼ均一な厚さに整えられる。
【００３７】
＜加熱工程＞
加熱工程では、絶縁ワニスを塗布された導線Ｗを加熱し、絶縁ワニスに含まれる樹脂を硬化させ、導線表面に絶縁層のエナメル被覆を形成する。
【００３８】
＜利点＞
当該絶縁電線の製造装置では、測定部５の遊動プーリ５３の支持角度θが所定の値になるように、第一ドラム１ａの駆動力を制御部６で制御する。この支持角度θは、第二ドラム１ｂの直後における導線Ｗの張力と一対一関係にあるので、上記制御により第二ドラム１ｂの直後における導線Ｗの張力が一定値に制御される。このことにより、塗布ダイス２２から導線Ｗを引き抜く力が経時的に変動し難くなり、絶縁電線の径、及び絶縁電線の芯である導線の長さ方向での径の変動が小さくなる。
【００３９】
また、当該絶縁電線の製造装置では、第二ドラム１ｂにおける導線の走行方向奥側は一対の第一ドラム１ａ及び第二ドラム１ｂ間よりも空間を確保し易いので、周回中の導線の張力よりも第二ドラム１ｂ直後の導線の張力の方が容易に測定できる。また、第二ドラム１ｂ直後の導線の張力の方が第一ドラム１ａ直前の張力よりも塗布ダイスから導線を引き抜く力に与える影響力が大きいと考えられる。従って、第二ドラム１ｂ直後の導線の張力と一対一関係にある物理量である遊動プーリ５３の位置を測定することで、絶縁電線の長さ方向での径の変動を更に抑制できる。
【００４０】
［その他の実施形態］
今回開示された実施の形態はすべての点で例示であって制限的なものではないと考えられるべきである。本発明の範囲は、上記実施形態の構成に限定されるものではなく、特許請求の範囲によって示され、特許請求の範囲と均等の意味及び範囲内での全ての変更が含まれることが意図される。
【００４１】
上記実施形態では、駆動部４によって第一ドラム１ａを回転駆動させたが、第二ドラム１ｂを回転駆動させてもよいし、第一ドラム１ａと第二ドラム１ｂとの両方を回転駆動させてもよい。このように回転駆動させるドラムを変えても第一ドラム１ａを回転駆動させるのと同様に、絶縁電線の径の長さ方向での変動を抑制できる。
【００４２】
また、上記実施形態では、測定部５と制御部６とを用い、駆動部４の駆動力を制御した。しかし、測定部５と制御部６とを用いずに、例えばオペレータが目視等によって架け渡された導線Ｗの弛みや過度な張力を検知し、オペレータが駆動部４の駆動力を制御してもよい。
【００４３】
また、上記実施形態では、測定部５で導線Ｗの張力と一対一関係にある物理量である遊動プーリ５３の支持角度を測定したが、導線Ｗの張力自体を測定してもよい。また、上記物理量として他のもの、例えば導線Ｗを弾いた時の音の周波数等を用いることができる。
【００４４】
また、上記実施形態では、第二ドラム１ｂ直後の導線Ｗにおいて測定部５の遊動プーリ５３の支持角度を測定したが、第一ドラム１ａ直前の導線Ｗ、又は周回中の導線Ｗの張力、又はこの張力と一対一関係にある物理量を測定してもよい。
【実施例】
【００４５】
以下、実施例によって本発明をさらに具体的に説明するが、本発明は以下の実施例に限定されるものではない。
【００４６】
［実施例］
図１の製造装置を用い、銅の平角導線（厚み：１．７２９ｍｍ、幅：２．９５４ｍｍ）に、絶縁ワニスを塗布、焼き付け、及び乾燥し、絶縁電線を製造した。絶縁ワニスとしては、樹脂としてポリイミドを用い、溶剤としてＮ−メチル−２−ピロリドンを用いた。
【００４７】
上記絶縁電線の製造においては、一対のドラム１直後の導線Ｗにおいて測定部５の遊動プーリ５３の支持角度θを測定し、支持角度θが事前に定めた角度になるようにフィードバック制御し、第一ドラム１ａを回転駆動させた。製造後の絶縁電線の厚み及び幅と、絶縁電線の平角導線の厚み及び幅とを絶縁電線の長さ方向の１２０箇所で測定し、それぞれの最大、最小、平均、及び４倍標準偏差を算出した。
【００４８】
［比較例］
第一ドラム１ａを駆動ドラムとせずに第一ドラム１ａを回転自在に支持し、駆動力のフィードバック制御を行わなかった以外は、実施例と同一の条件で絶縁電線を製造した。実施例と同様に、製造後の絶縁電線の厚み及び幅と、絶縁電線中の平角導線の厚み及び幅とを絶縁電線の長さ方向の１２０箇所で測定し、それぞれの最大、最小、平均、及び４倍標準偏差を算出した。
【００４９】
上記実施例及び比較例の測定結果を表１に示す。
【表１】
2015043305.tif 000003
【００５０】
［評価］
絶縁電線の厚み及び幅の４倍標準偏差は、実施例の方が比較例よりも小さくなっている。また、絶縁電線中の平角導線の厚み及び幅の４倍標準偏差も、実施例の方が比較例よりも小さくなっている。つまり、当該絶縁電線の製造装置によって、絶縁電線の長さ方向での径の変動を抑制できた。
【産業上の利用可能性】
【００５１】
本発明は、例えば径の寸法変動が小さいことが要求される絶縁電線の製造装置及び製造方法として好適に用いることができる。
【符号の説明】
【００５２】
１ａ  第一ドラム
１ｂ  第二ドラム
２  塗布部
２１  絶縁ワニス槽
２２  塗布ダイス
３  加熱部
４  駆動部
５  測定部
５１、５２  プーリ
５３  遊動プーリ
５４  センサ
５５  支持棒
６  制御部
７  送出部
８  巻取部
Ｗ  導線
Ｏ  支点
【図１】
2015043305.tif 000004
【図２】
2015043305.tif 000005